(57)【要約】【目的】本発明は、主として無数の連続気孔を有する多孔性印材よりなる印字体を使用した開閉蓋付の印鑑の改良であって、操作部が軸筒の長手方向を占めてしまう無駄がなく、構造が単純でコスト低減ができ、且つ使い勝手が良い印鑑を提供可能とする。【構成】軸体の前方に印字体とその印字体の印面を被覆する蓋部が設けられてなる印鑑に於いて、弾性体により軸体の前方に附勢されると共に印字体に外装する筒部前端の一側に軸支部が設けられ、その軸支部に蓋部の一端が止着されて、蓋部は、その一端を中心として印字体の印面と略平行な平面上を回動するように設けられ、捺印時に印面の被覆状態が解除されると共に、筒部前端を捺印箇所に当接させた状態で軸体後端を押圧して筒部前端から印面を露出させ、捺印可能となる。【選択図】                図１
2004230639.tif 000002
【特許請求の範囲】
【請求項１】
軸体の前方に印字体とその印字体の印面を被覆する蓋部が設けられてなる印鑑に於いて、
弾性体により軸体の前方に附勢されると共に印字体に外装する筒部前端の一側に軸支部が設けられ、その軸支部に蓋部の一端が止着されて、蓋部は、その一端を中心として印字体の印面と略平行な平面上を回動するように設けられ、捺印時に印面の被覆状態が解除されると共に、筒部前端を捺印箇所に当接させた状態で軸体後端を押圧して筒部前端から印面を露出させ、捺印可能となるように構成したことを特徴とする印鑑。
【請求項２】
蓋部が印面を被覆した位置と被覆を解除した位置で、それぞれ筒部と蓋部の相互間に回動を適宜阻止する係合部が設けられてなる請求項１に記載の印鑑。
【請求項３】
蓋部には、筒部の軸支部に止着される一端と略反対の位置に回動操作のための指懸け部が設けられてなる請求項１に記載の印鑑。
【請求項４】
軸体と筒部が回転方向に一体に係合するように設けられてなる請求項１に記載の印鑑。
【発明の詳細な説明】
【０００１】
【産業上の利用分野】
本発明は、主として無数の連続気孔を有する多孔性印材よりなる印字体を使用した開閉蓋付き印鑑の改良に関する。
【０００２】
【従来の技術】
【特許文献１】実用新案登録第２５０５４４９号
【特許文献２】実用新案登録第２５６７６０６号
【特許文献３】実用新案登録第２５８０１８７号
【特許文献４】実用新案登録第２５１９８３３号
従来より、インクを吸蔵できるようにスポンジゴム等の無数の連続気孔を有した多孔性印材より形成された印字体を使用して、使用のたびに朱肉等に付着させる必要のない印鑑やそのような印鑑を取付けた印鑑付筆記具が知られている。
しかしながら、この種の印鑑は、印字体が露出していると、印字面にキズをつけたり、ゴミが付着したり、インクが乾いてしまう等の問題が発生する為に、キャップで印字体を被覆するようになっており、その為にキャップを着脱するのが面倒なだけでなく、キャップをなくしてしまう等の問題や着脱に際して誤って手を汚すなどの問題がある。
【０００３】
そこで上述した問題点を解決する為に、印字体の表面を被覆する蓋部を印鑑に一体に設けて、捺印する際に蓋部が開くように構成されたものが知られている。
【特許文献１】は、後軸に印鑑を搭載した印鑑付筆記具であって、後軸の後端内孔に印鑑を収納して、開口部を常時遮蔽する蓋部を後軸後端部の基部に蓋部との相互間にスプリングを附勢して回動自在に取付けると共に、先軸に対して後軸を回動させることにより印鑑を軸後方に移動して印鑑の印字体を避けた角部が上記蓋部の内側面に接触しながら蓋部を拡開して印字体が後軸後端の開口部から露出して捺印可能となるように構成されている。しかしながら、このものは上記問題点が解消されるものの、構造が複雑で、特に蓋部を常時閉じる方向に附勢させるスプリングの取付けが面倒でコスト高となる欠点がある。
【特許文献２】も印鑑を搭載した印鑑付筆記具であって、蓋部を閉じる状態に係止し、操作ボタンを押すことで係止が解除されて蓋部が開き、捺印できるように構成されている。やはり、常時閉じる方向に附勢させるスプリングの取付けが面倒であるなどコスト高となる欠点がある。
【特許文献３】は、印鑑（印判）であって、把持筒部（２）の一端に多孔質印材よりなる印字体を備えた短筒状の印判部（３）を続かせた印判本体（１）と、該印判部（３）の先端を覆う印字キャップ（１０）とよりなる印判において、前記印判部（３）の外側面から把持筒部（２）の外側面にわたる部分にクリップ（４）をその一半に形成されている板状レール部（５）をもって固着して該板状レール部（５）に摺動自在に取付けた印字キャップ開閉用の摺動子（６）の一端をヒンジ機構（１３）を介して前記印字キャップ（１０）の端部に枢着し、また、前記摺動子（６）の表面には常時は一端が印字キャップ（１０）の枢着側外面に当接されて該印字キャップ（１０）を閉塞位置にロックする押え部材（１４）を摺動自在に取付けたことを特徴とすると記載されている。しかしながら、このものもヒンジ機構など構造が複雑でコスト高となる欠点がある。
【特許文献４】は、印鑑であって、軸筒の先端部内孔に印鑑を収納して印字体を被覆する蓋部を有した開閉部材を軸筒にスリット部を設けて軸筒の周面より外方に向けて回動可能に軸筒に止着すると共に、軸筒の側面に操作部材を摺動可能に配設して、該操作部材を軸筒の先方に摺動させた時にそれと連動して開閉部材の蓋部を軸筒の周面より外方に拡開して印字体の被覆状態を解除し、且つ印鑑を軸筒先方に移動させて印字体が軸筒の先端孔から露出して捺印可能となる様に構成されている。しかしながら、このものも構造が複雑で、組立てなどが面倒でコスト高となる欠点がある。また、印鑑部と蓋部開閉の為の機構部が軸筒の長手方向に占める長さが長くなり、従って、印鑑部の後方に長寿命の捺印を可能とするためにインクタンクを設けたり、印鑑付筆記具とした際に全長が長すぎてしまい商品形態に適さないなどの問題がある。
【０００４】
【発明が解決しようとする課題】
本発明は、主として無数の連続気孔を有する多孔性印材よりなる印字体を使用した開閉蓋付の印鑑の改良であって、操作部が軸筒の長手方向を占めてしまう無駄がなく、構造が単純でコスト低減ができ、且つ使い勝手が良い印鑑を提供可能とする。
【０００５】
【課題を解決するための手段】
本発明は、上記課題を達成する為に以下の構成を有する。
請求項１に記載の発明に係る印鑑は、軸体の前方に印字体とその印字体の印面を被覆する蓋部が設けられてなる印鑑に於いて、弾性体により軸体の前方に附勢されると共に印字体に外装する筒部前端の一側に軸支部が設けられ、その軸支部に蓋部の一端が止着されて、蓋部は、その一端を中心として印字体の印面と略平行な平面上を回動するように設けられ、捺印時に印面の被覆状態が解除されると共に、筒部前端を捺印箇所に当接させた状態で軸体後端を押圧して筒部前端から印面を露出させ、捺印可能となる。
【０００６】
請求項２に記載の発明に係る印鑑は、請求項１に記載の印鑑に於いて、蓋部が印面を被覆した位置と被覆を解除した位置で、それぞれ筒部と蓋部の相互間に回動を適宜阻止する係合部が設けられてなる。
【０００７】
請求項３に記載の発明に係る印鑑は、請求項１に記載の印鑑に於いて、蓋部には、筒部の軸支部に止着される一端と略反対の位置に回動操作のための指懸け部が設けられてなる。
【０００８】
請求項４に記載の発明に係る印鑑は、請求項１に記載の印鑑に於いて、軸体と筒部が回転方向に一体に係合するように設けられてなる。
【０００９】
【実施例】
図１乃至図５は本発明の実施例を示している。先ず、図に示すように印鑑ユニット７はインクを吸蔵できるようにスポンジゴム等の無数の連続通気孔を有した多孔性印材により形成された印字体７ａとインクを貯蔵して印字体７ａにインクを供給するインク吸蔵体をカバー７ｂで取付け台７ｃの前方軸部に圧着等の手段で固定して構成されている。また、印字体７ａが前方に抜出しないようにカバー７ｂの前端には角部７ｄが設けられている。（尚、実施例に於いては、印字体とインク吸蔵体を一体に形成して設けている。）また、取付け台７ｃは前端底付きの筒体で、後方軸部外周または内周を軸体の前方部に着脱可能に取付けることが可能である。
【００１０】
軸体１は、鍔部１ａの後方に筒状の把持部と、その後端に尾栓が固定され、鍔部１ａの前方にやや縮小した筒状の前軸部１ｂが一体に形成されている。実施例では、この前軸部１ｂの外周に上記印鑑ユニットの取付け台７ｃの内周が装着される。また、前軸部１ｂの周面には前軸部が縮小方向に弾性変形可能なように適宜スリ割り部１ｃが設けられている。また、取付け台の内周と前軸部の周面との間に凹凸状の係合部を設けて弾性的に係合させることもできる。尚、印鑑ユニットと前軸部との着脱可能に係合して取付ける形態は実施例に限定されない。
【００１１】
筒部３は、内孔に段部３ａが形成されている。また、後端の一側にやや外側に膨出して端面に対し垂直の小孔部を有した軸支部３ｂが形成され、その軸支部３ｂの略反対側に凹部３ｃと共に窪み状の係止部３ｄが形成されている。
【００１２】
蓋部５は、盤状（通常は円盤）の外周一測に外方にやや膨出した一端５ｂが形成され、その一端５ｂには小孔５ｃが穿設されている。また、一端５ｂ内側近傍の盤状部５ａには後方に突出した凸部５ｅが形成されている。
また、前記一端５ｂの反対側の外周側面には盤状部の後方に適宜延設されると共に外方にやや膨出した指懸け部５ｄが形成され、更に指懸け部５ｄの内面に内方に向かってやや膨出した係止部５ｆが形成されている。
【００１３】
以上で、筒部３の軸支部３ｂに蓋部５の一端５ｂを対面させて、小孔５ｃと軸支部３ｂに形成された小孔部を連結してピン６が圧着により止着され、筒部３に対して蓋部５が軸支部３ｂを支点として回動可能となる。
尚、蓋部５が回動する際に、蓋部５に設けた凸部５ｅが干渉しないように筒部３の前端側には適宜に切り窓が設けられている。（図示せず）
また、ピン６に相当するピン部を蓋部５の一端５ｂの後面に一体に膨出した状態で形成することもできる。また、筒部３の軸支部３ｂの前面に一体に膨出して形成することもできる。  また、そのようなピン部の端部に係止部を形成して、相手側と弾性的に係合して止着することも可能である。尚、止着の形態は種々あり、実施例に限定されない。
【００１４】
軸体１の前軸部１ｂに印鑑ユニット７が取付けられた後、印鑑ユニットを外装する状態で筒部３が装着される。その際に、筒部３の段部３ａの後面と軸体１の鍔部１ａの前面側との間にリターンスプリング８が敷設される。
図に示されるように、筒部の鍔部１ａの後端に内段部４ａを係合させた状態で筒状の継ぎ手４が装着され、継ぎ手４の前方部と筒部３の後方部が圧着などによって接合され、筒部３は、軸体１に対して常時後方側に附勢される。その時、蓋部５に設けた凸部５ｅの後端が印鑑ユニット７の角部７ｄに略当接状態となされている。尚、継ぎ手と筒部の接合形態は実施例に限定されない。
また、継ぎ手を用いずに筒部の後方に係止部を設け、軸体１にその係止部と係合するように係止部を設けて接合することも可能である。
【００１５】
本発明の印鑑の基本構成は、軸体の前方に印字体とその印字体の印面を被覆する蓋部が設けられ、弾性体により軸体の前方に附勢されると共に、印字体に外装する筒部前端の一側に軸支部が設けられ、その軸支部に蓋部の一端が止着されて、蓋部は、その一端を中心として印字体の印面と略平行な平面上を回動するように設けられ、捺印時に印面の被覆状態が解除されると共に、筒部前端を捺印箇所に当接させた状態で軸体後端を押圧して筒部前端から印面を露出させて捺印するものである。
即ち、軸体１に対して印鑑ユニット７を軸着脱可能とすることもなく、直接軸体１の前端に印字体を形成するように構成することもできる。また、弾性体はスプリングやスポンジのような弾性材を利用することも可能である。
【００１６】
また、携帯時などで不用意に蓋部５が開かないように、印面を被覆した位置で筒部３と蓋部５の相互間に回動を適宜阻止する係合部が設けられることが望ましい。また、捺印時などで不用意に蓋部５が閉じないように、被覆を解除した位置で筒部３と蓋部５の相互間に回動を適宜阻止する係合部が設けられることが望ましい。その手段は、筒部の軸支部３ｂと蓋部の一端との止着箇所に相互が係合する部を設けたり、筒部３の前端と蓋部の盤状部５ａ内面に相互が係合する部を設けることで達成することができる。また、実施例のように蓋部の指懸け部５ｄの内面側に筒部の係止部３ｄに係合する係止部５ｆを設けて、携帯時などで不用意に蓋部５が開かないようにすることもできる。即ち、上述した実施例に限定されず設けることが可能である。
【００１７】
また、軸体１に対して筒部３の長さ設定が短い場合などには、蓋部の開閉操作を行う使い勝手上から軸体１に対して筒部３が回転方向に一体であることが望ましい。その手段は、継ぎ手４と軸体１との間が回転方向で一体に係合するように設けたり、また上述したように、継ぎ手４を用いずに筒部３の後方に係止部を設け、軸体１にその係止部と係合するように係止部を設けて接合することも可能である。具体的には、筒部の後方外周部に窓部を穿設し、軸体の側面に凸部を形成して、その凸部を前記筒部の窓部に弾性的に嵌入させることで得られる。また、この手段をとれば、軸体に対する筒部の抜止めと回転止めが同時に達成できる。
【００１８】
また本発明の印鑑は、軸体１の後端に筆記具を接合した、所謂印鑑付筆記具とすることができる。概略例として、シャープペンシル、ボールペン等の筆記体や、それらの筆記体を先端から出没可能に構成する機構部等を先軸に収容し、その先軸を印鑑を構成する軸体の後端に接続させることで達成される。また、シャープペンシルが配設された場合には、先軸に対して軸体を軸推移可能になして芯が繰り出されるように構成することができる。
また本発明の印鑑は、主として無数の連続気孔を有する多孔性印材よりなる印字体を使用した開閉蓋付の印鑑であるが、朱肉を必要とする印鑑にも利用展開することも可能である。
【００１９】
【作用】
本発明の印鑑は以上のように構成されており、未使用時には図１に示すように印字体７ａの印面は筒部３の前端からやや没入した状態となり、印面は蓋部５によって閉塞されている。このとき、蓋部の凸部５ｅが印鑑ユニットの角部７ｄに略当接しており、携帯時に印鑑の前後端に外力が懸かっても印面が筒部３の前端から露出して蓋部５の内面側を汚損したり、インクが外部に漏れる心配は無い。また、印面を被覆した位置と被覆を解除した位置で、それぞれ筒部と蓋部の相互間に回動を適宜阻止する係合部が設けられることで、不用意に蓋部が回動する問題も無い。その状態より蓋部の指懸け部５ｄに指を懸けて、蓋部を筒部の円周方向に捻ると、筒部の係止部３ｄから蓋部の係止部５ｆが離脱して蓋部５が筒部の軸支部３ｂを支点として印面と略平行な平面上を回動し、印面の被覆状態が解除される。（図４及び図５）
この状態で印面側を下にして、筒部前端を捺印箇所（紙面など）に当接させた状態で軸体後端を押圧して筒部前端から印面を露出させて捺印する。（図５）
【００２０】
【発明の効果】
本発明の印鑑の構成及び作用は以上のごとくであり、印面を被覆する蓋部の開閉操作部が従来のように軸筒の長手方向を占めてしまう無駄がなく、構造が単純なのででコスト低減ができ、且つ使い勝手が良い印鑑が提供可能となる。
【図面の簡単な説明】
【図１】本発明の一実施例である印鑑で印面を蓋部で被覆した状態の断面図である。
【図２】蓋部の上方の形状を示した図である。
【図３】蓋部を回動して、印面から蓋部の覆いを解除した状態の断面図である。
【図４】蓋部を回動し、印面から蓋部の覆いを解除する状態の上方より見た図である。
【図５】捺印する状態を示した断面図である。
【符号の説明】
１      軸体
１ａ    鍔部
１ｂ    前軸部
１ｃ    スリ割り部
２      尾栓
３      筒部
３ａ    段部
３ｂ    軸支部
３ｃ    凹部
３ｄ    係止部
４      継ぎ手
４ａ    内段部
５      蓋部
５ａ    盤状部
５ｂ    一端
５ｃ    小孔
５ｄ    指懸け部
５ｅ    凸部
５ｆ    係止部
６      ピン
７      印鑑ユニット
７ａ    印字体
７ｂ    カバー
７ｃ    取付け台
７ｄ    角部
８      リターンスプリング
【図１】
2004230639.tif 000003
【図２】
2004230639.tif 000004
【図３】
2004230639.tif 000005
【図４】
2004230639.tif 000006
【図５】
2004230639.tif 000007